(57)【特許請求の範囲】
【請求項１】
複数のＬＥＤ素子、及び前記ＬＥＤ素子の数に対応した抵抗値を具備する抵抗器を有した照明用基板と、
前記照明用基板の前記ＬＥＤ素子へ電力を供給し、前記照明用基板の前記抵抗器の前記抵抗値を基にして前記電力を変更し、前記ＬＥＤ素子の照度を所定の照度にする電源基板と、
を備え、
前記照明用基板は、
複数の前記ＬＥＤ素子、及び前記抵抗器を有した第１照明用基板と、
複数の前記ＬＥＤ素子を有し、前記第１照明用基板に対して着脱自在に連結される少なくとも１枚の第２照明用基板と、
を有していることを特徴とする照明装置。
【請求項２】
洗面化粧台に備えられる請求項１に記載の照明装置。
【発明の詳細な説明】
【技術分野】
【０００１】
本発明は照明装置に関するものである。
【背景技術】
【０００２】
特許文献１は従来の照明装置を開示している。この照明装置は洗面化粧台の鏡の上端縁や左右端縁に設置することができる。この照明装置は装置を壁面等に固定する際に用いる固定板、色の異なる複数種類のＬＥＤ素子が実装された基板、装置の外側を形成する枠体、ＬＥＤ素子で発光した光を拡散させる第１拡散板、及び第２拡散板を備えている。
【０００３】
固定板は設置する洗面化粧台の鏡の１辺の長さとほぼ同じ長さである。基板は色の異なる複数種類のＬＥＤ素子が実装されている。基板は設置する洗面化粧台の鏡の１辺の長さとほぼ同じ長さである。枠体は柱状をなしており、前面から後面に向けて貫通した開口部が設けられている。開口部は枠体の長手方向に伸びて設けられている。枠体は開口部の後面側に開口部を覆うように基板がはめ込まれている。第１拡散板は光を拡散させる透過率の高い材質で形成されている。第１拡散板は枠体の開口部の前面側に開口部を覆うように取り付けられている。第２拡散板は光を拡散させる透過率の高い材質で形成されている。第２拡散板は基板に実装されたＬＥＤ素子と第１拡散板とを隔てて設けられている。これにより、この照明装置は基板に実装された色の異なる複数種類のＬＥＤ素子が電源基板等から電力を供給され発光すると、これらのＬＥＤ素子が発光した光が第２拡散板、及び第１拡散板を透過しつつ拡散されて照射される。こうして、この照明装置は色の異なる複数種類のＬＥＤ素子が発光した光が第２拡散板、及び第１拡散板によって拡散されて互いに混合することによって白色光を照射することができる。このため、この照明装置は蛍光灯を用いた場合に比べて装置を薄くすることができる。また、この照明装置は基板の長さが設置する洗面化粧台の鏡の１辺の長さとほぼ同じである。このため、この照明装置は洗面化粧台の鏡を満遍なく照らすことができる。
【先行技術文献】
【特許文献】
【０００４】
【特許文献１】特開２００４−２２７８２６号公報
【発明の概要】
【発明が解決しようとする課題】
【０００５】
しかし、特許文献１の照明装置は、基板の長さが設置する洗面化粧台の鏡の１辺の長さとほぼ同じである。仮に鏡の１辺の長さが変更された場合、この照明装置は照度を変えないようにするため、基板の長さを単位長さ当たりのＬＥＤ素子の数を変更しないで設置する洗面化粧台の鏡の１辺の長さに合わせる必要がある。つまり、この照明装置は設置する洗面化粧台の鏡の１辺の長さに合わせるため、基板の長さを変更すると共に基板に実装されるＬＥＤ素子の数も変更する必要がある。このため、この照明装置はＬＥＤ素子に電力を供給する電源基板等も基板に実装されるＬＥＤ素子の数に合わせて変更する必要がある。
【０００６】
本発明は、上記従来の実情に鑑みてなされたものであって、照明を良好にすることができる照明装置を提供することを解決すべき課題としている。
【課題を解決するための手段】
【０００７】
本発明の照明装置は複数のＬＥＤ素子、及び前記ＬＥＤ素子の数に対応した抵抗値を具備する抵抗器を有した照明用基板と、
前記照明用基板の前記ＬＥＤ素子へ電力を供給し、前記照明用基板の前記抵抗器の前記抵抗値を基にして前記電力を変更し、前記ＬＥＤ素子の照度を所定の照度にする電源基板と、
を備え、
前記照明用基板は、
複数の前記ＬＥＤ素子、及び前記抵抗器を有した第１照明用基板と、
複数の前記ＬＥＤ素子を有し、前記第１照明用基板に対して着脱自在に連結される少なくとも１枚の第２照明用基板と、
を有していることを特徴とする。
【０００８】
本発明の照明装置は照明用基板が有する抵抗器の抵抗値に基づいて、電源基板からＬＥＤ素子に供給する電力の大きさ変更することができる。これにより、この照明装置は照明用基板に実装されたＬＥＤ素子の数に応じて自動的に電源基板からＬＥＤ素子に供給する電力の大きさを変更することができる。つまり、この照明装置はＬＥＤ素子の数が異なる照明用基板のそれぞれに対応することができる。このため、この照明装置は実装されたＬＥＤ素子の数が異なる照明用基板を変更するだけで設置する場所を最適に照らすことができる。また、この照明装置は第２照明用基板の数に応じて抵抗器の抵抗値を変更した第１照明用基板を複数種類用意すれば、ＬＥＤ素子の数が異なる場合であっても電力を適正に供給し、設置場所を最適に照らすことができる。
【０００９】
したがって、本発明の照明装置は照明を良好にすることができる。
【図面の簡単な説明】
【００１０】
【図１】実施例１の照明装置が取り付けられた洗面化粧台を示す正面図である。
【図２】実施例１の照明装置が取り付けられた洗面化粧台を示す側面図である。
【図３】図１における矢視Ｘ−Ｘ部の断面図である。
【図４】実施例１の照明装置が取り付けられた洗面化粧台を前方右下から見た状態であって、照明装置が取り付けられた部分を拡大して示した要部拡大図である。
【図５】実施例１の照明装置を示す模式図である。
【発明を実施するための形態】
【００１１】
本発明における好ましい実施の形態を説明する。
【００１３】
次に、本発明の照明装置を取り付けた洗面化粧台を具体化した実施例１について、図面を参照しつつ説明する。
【００１４】
＜実施例１＞
実施例１の洗面化粧台１は、図１、２に示すように、洗面台２、及びミラーキャビネット３、カバー４、及び照明装置１０を備えている。
【００１５】
洗面台２は、カウンター２Ａと、カウンター２Ａを載置するキャビネット２Ｂとを有している。カウンター２Ａは、洗面ボウル２Ｃ、カウンター部２Ｄ、及び背板部２Ｅが一体的に形成されている。洗面ボウル２Ｃはカウンター２Ａの左右中央（左右は図１における左側右側である。以下同じ。）に設けられている。カウンター部２Ｄは洗面ボウル２Ｃの左右両側に設けられ、上方から見た平面視において、前後方向（前後は図１における手前側奥側である。以下同じ。）に長い長方形状をなしている。背板部２Ｅは、洗面ボウル２Ｃの後面の上端縁（上下は図１における上側下側である。以下同じ。）及びカウンター部２Ｄの後端縁に連続し、カウンター部２Ｄから上方向に伸びている。背板部２Ｅは正面視において、左右方向に長い長方形状である。また、背板部２Ｅの前面は平面状をなしており、上方に向けて僅かに後方に傾斜している。背板部２Ｅの左右方向の寸法は後述するミラーキャビネット３の左右方向の寸法と同じである。キャビネット２Ｂは前方へ引き出せる上下２段の引出し２Ｆが設けられている。
【００１６】
洗面台２はカウンター２Ａの背板部２Ｅの前面の上端部の右側に操作レバー２Ｇが設けられている。操作レバー２Ｇは、給湯管２Ｈから供給された湯と、給水管２Ｊから供給された水との混合比や、後述する吐水口２Ｌから吐水される湯水の吐水量を調節することができる。洗面台２はカウンター２Ａの背板部２Ｅの前面の上端部の左右中央部に吐水管２Ｋが取り付けられている。吐水管２Ｋは前方下側に伸びている。吐水管２Ｋは先端に湯水を吐水する吐水口２Ｌが形成されている。吐水管２Ｋは給湯管２Ｈ、及び給水管２Ｊから供給された湯水を吐水口２Ｌから吐水する。洗面台２はカウンター２Ａの背板部２Ｅの前面の上端部の左側に排水栓操作つまみ２Ｍが取り付けられている。排水栓操作つまみ２Ｍは洗面ボウル２Ｃの排水口２Ｎに設けられた排水栓２Ｐで排水口２Ｎを開閉することができる。
【００１７】
ミラーキャビネット３は、図１、２に示すように、左右方向で３分割された鏡３Ａ，３Ｂ，３Ｃと、各鏡３Ａ，３Ｂ，３Ｃの後方に設けられた収納部３Ｄと、を有している。左右中央に位置する鏡３Ａは、正面視において上下方向に長い長方形状をなし、左右両側に位置する鏡３Ｂ，３Ｃに比べて左右方向の寸法が大きい。鏡３Ａは、鉛直線方向に伸びる右側の一辺の後側を回動軸にして、収納部３Ｄの前面を開放した開放状態、及び閉鎖した閉鎖状態の間で回動自在に収納部３Ｄに取り付けられている。左右両側に位置する鏡３Ｂ，３Ｃは正面視において上下方向に長い長方形状をなし、互いに左右方向の幅が同じである。鏡３Ｂ，３Ｃは、鉛直方向に伸びる内側の一辺の後側を回動軸にして、収納部３Ｄの前面を開放した開放状態、及び閉鎖した閉鎖状態の間で回動自在に収納部３Ｄに取り付けられている。
【００１８】
ミラーキャビネット３は収納部３Ｄの下面の右端部にスイッチコンセント部３Ｅが取り付けられている。スイッチコンセント部３Ｅは後述する照明装置１０のＬＥＤ素子２４，３４を点灯状態、及び消灯状態に切り替えるスイッチ３Ｆ、使用者に交流の電力を供給するコンセント３Ｇを具備している。スイッチコンセント部３Ｅはスイッチ３Ｆ及びコンセント３Ｇが使用者に対向するようにスイッチコンセント部３Ｅの前面に設けられている。また、スイッチコンセント部３Ｅはスイッチ３Ｆ、及びコンセント３Ｇの後方に後述する電源基板５０が取り付けられている（図示せず。）。
【００１９】
この洗面化粧台１は、先ず、洗面台２を設置する洗面室等の床面Ｆの所定の位置に載置した状態で、洗面台２を壁面Ｗへねじ止めして固定する（図２参照。）。次に、ミラーキャビネット３を洗面台２の背板部２Ｅの上端面に下端面を当接させつつ、背板部２Ｅの左右両端にミラーキャビネット３の左右両端を揃えて載置した状態で、ミラーキャビネット３を壁面Ｗへねじ止めして固定する（図２参照。）。こうして、この洗面化粧台１は設置される。
【００２０】
カバー４は左右方向に伸びており、ミラーキャビネット３の下端に連続して、洗面台２の背板部２Ｅの前面の上端部に左右方向に取り付けられている。カバー４は左右方向の寸法が洗面化粧台１の左右方向の寸法と同じである。つまり、カバー４は左右方向の寸法がミラーキャビネット３、及び洗面台２の背板部２Ｅの左右方向の寸法と同じである。つまり、カバー４は洗面台２の背板部２Ｅの前面の上端部を左右方向の全体に亘り覆っている。
【００２１】
カバー４は、上壁部４Ａ、前壁部４Ｂ、下壁部４Ｃ、及び左右側壁部４Ｄ、４Ｅを有している。上壁部４Ａは平板状をなし水平面上で左右方向に伸びている。カバー４はミラーキャビネット３の下端面の前端部に上壁部４Ａの上面を当接させて、洗面台２の背板部２Ｅの前面の上端部に取り付けられる。前壁部４Ｂは第１前壁部４Ｆと第２前壁部４Ｇを具備している。第１前壁部４Ｆは上壁部４Ａの前端縁から連続して下方に伸びつつ前方へ向けて湾曲しており、左右方向に伸びる窪みを形成している。第２前壁部４Ｇは第１前壁部４Ｆの下端縁に連続して鉛直線方向に垂下している。下壁部４Ｃは第２前壁部４Ｇの下端縁から後方向に伸びている。下壁部４Ｃの後端縁は背板部２Ｅの前面との間に隙間を有している。左右側壁部４Ｄ，４Ｅは上下方向に幅を有し、平板状をなし前後方向に伸びている。左右側壁部４Ｄ，４Ｅは上壁部４Ａ、前壁部４Ｂ、及び下壁部４Ｃの左右両端にそれぞれが連結している。左右側壁部４Ｄ，４Ｅのそれぞれの後端縁は背板部２Ｅの前面との間に隙間を有している。
【００２２】
カバー４は下壁部４Ｃの左右方向の中央部に吐水管２Ｋが挿通する第１挿通孔４Ｈを形成している。第１挿通孔４Ｈはほぼ円形状に開口している。また、カバー４は下壁部４Ｃに操作レバー２Ｇが挿通する第２挿通孔４Ｊを形成している。第２挿通孔４Ｊは第１挿通孔４Ｈの右側に位置している。第２挿通孔４Ｊは左右方向よりも前後方向が長い楕円形状に開口している。また、カバー４は排水栓操作つまみ２Ｍを挿通する第３挿通孔４Ｋが形成されている。第３挿通孔４Ｋは第１挿通孔４Ｈの左側に位置している。第３挿通孔４Ｋはほぼ円形状に開口している。カバー４は第２前壁部４Ｇの右端部に開口してスイッチコンセント部３Ｅの前面部が挿通する第４挿通孔４Ｌを形成している。第４挿通孔４Ｌは左右方向に長い長方形状に開口している。カバー４は第１挿通孔４Ｈ、第２挿通孔４Ｊ、第３挿通孔４Ｋ、及び第４挿通孔４Ｌにそれぞれ吐水管２Ｋ、操作レバー２Ｇ、排水栓操作つまみ２Ｍ、及びスイッチコンセント部３Ｅの前面部を挿通して背板部２Ｅの前面の上端部に取り付けられている。
【００２３】
照明装置１０は、図３〜５に示すように、固定部材１１、光拡散カバー１２、第１閉鎖部材１３、第２閉鎖部材１４、照明用基板１５である第１照明用基板２０、照明用基板１５である第２照明用基板３０、及び電源基板５０を有している。固定部材１１は、上壁部１１Ａ、後壁部１１Ｂ、傾斜壁部１１Ｃ、及び下壁部１１Ｄを具備している。上壁部１１Ａは平板状をなし前後方向に幅を有し、左右方向に伸びている。後壁部１１Ｂは平板状をなし上壁部１１Ａの後端から垂下している。傾斜壁部１１Ｃは平板状をなし上壁部１１Ａの前後中央部の下側から垂下している。傾斜壁部１１Ｃは下端が上端より後方向に位置している。下壁部１１Ｄは第１下壁部１１Ｅ、及び第２下壁部１１Ｆを具備している。第１下壁部１１Ｅ、及び第２下壁部１１Ｆはそれぞれ平板状をなし上壁部１１Ａに対してほぼ平行である。第１下壁部１１Ｅは前端が傾斜壁部１１Ｃの下端に連結している。また、第２下壁部１１Ｆは後端が後壁部１１Ｂの下端に連結している。
【００２４】
上壁部１１Ａは前端に第１係合部１１Ｇが設けられている。第１係合部１１Ｇは平板状をなし上壁部１１Ａの前端の下側から前方向に伸びている。第１係合部１１Ｇは上面の前端部に下方向に窪んだ溝１１Ｈが設けられている。傾斜壁部１１Ｃは下端部の前側に第２係合部１１Ｊが設けられている。第２係合部１１Ｊは平板状をなし傾斜壁部１１Ｃの下端部の前側から前方向に伸びる第１基部１１Ｋ、第１基部１１Ｋの前端から垂下する第２基部１１Ｌ、及び第２基部１１Ｌの下端から後方向に突出する第１爪部１１Ｍを具備している。
【００２５】
光拡散カバー１２は半透明の樹脂製である。光拡散カバー１２は第１傾斜面部１２Ａ、屈曲面部１２Ｂ、及び第２傾斜面部１２Ｃを具備している。第１傾斜面部１２Ａは前後方向に幅を有し、左右方向に伸びている。第１傾斜面部１２Ａは前端が後端より上側に位置している。屈曲面部１２Ｂは第１傾斜面部１２Ａの前端に連続して上方に伸びつつ前側に丸みをおびて湾曲している。第２傾斜面部１２Ｃは第１傾斜面部１２Ａの後端から上方後側に伸びつつ、上側に丸みをおびて湾曲している。
【００２６】
第２傾斜面部１２Ｃは後端部に第１被係合部１２Ｄが設けられている。第１被係合部１２Ｄは第２傾斜面部１２Ｃの後端から上方向に平板状をなして伸びている。第１被係合部１２Ｄは上端部の前面に前方向に突出する第２爪部１２Ｆを具備している。屈曲面部１２Ｂは上端に第２被係合部１２Ｇが設けられている。第２被係合部１２Ｇは屈曲面部１２Ｂの上端から後方向に平板状をなして伸びている。第２被係合部１２Ｇは後端部の下面に下方向に突出する第３爪部１２Ｈが設けられている。
【００２７】
こうして形成された光拡散カバー１２は固定部材１１の第１係合部１１Ｇの溝１１Ｈに第２被係合部１２Ｇの第３爪部１２Ｈが係合し、固定部材１１の第２係合部１１Ｊの第１爪部１１Ｍの上面に第１被係合部１２Ｄの第２爪部１２Ｆの下面が当接して係合し固定部材１１に取り付けられている。
【００２８】
第１閉鎖部材１３は平板状をなして、上下方向に幅を有し、前後方向に伸びている。第１閉鎖部材１３は後端の前後方向の位置がミラーキャビネット３の後端の前後方向の位置に一致している。第１閉鎖部材１３は上下方向の寸法が固定部材１１の後壁部１１Ｂの上下方向の寸法より僅かに大きい。第１閉鎖部材１３は前端部の下側が光拡散カバー１２の第１傾斜面部１２Ａ、及び屈曲面部１２Ｂの前面の形状に沿って形成されている。第１閉鎖部材１３は前端部の前端縁から下端縁に亘り光拡散カバー１２の左端部の前面側に重なるように第１目隠し壁部１３Ａが右方向に伸びている（図４参照。）。第１閉鎖部材１３は右面を固定部材１１、及び光拡散カバー１２の左端面に当接させて固定部材１１に取り付けられている。
【００２９】
第２閉鎖部材１４は平板状をなして、上下方向に幅を有し、前後方向に伸びている。第２閉鎖部材１４は後端の前後方向の位置がミラーキャビネット３の後端の前後方向の位置に一致している。第２閉鎖部材１４は上下方向の寸法が固定部材１１の後壁部１１Ｂの上下方向の寸法より僅かに大きい。第２閉鎖部材１４は前端部の下側が光拡散カバー１２の第１傾斜面部１２Ａ、及び屈曲面部１２Ｂの前面の形状に沿って形成されている。第２閉鎖部材１４は前端部の前端縁から下端縁に亘り光拡散カバー１２の右端部の前面側に重なるように第２目隠し壁部１４Ａが左方向に伸びている（図４参照。）。第２閉鎖部材１４は左面を固定部材１１、及び光拡散カバー１２の右端面に当接させて固定部材１１に取り付けられている。
【００３０】
第１照明用基板２０は、図４、５に示すように、第１照明用基板本体２１、第１連結部材２２、第２連結部材２３、１２個のＬＥＤ素子２４、及び抵抗器２５を具備している。第１照明用基板本体２１は平板状をなし１方向に伸びている。第１照明用基板本体２１はガラスエポキシ基板である。第１照明用基板本体２１は一方の面にそれぞれが導電性を有する第１パターン２１Ａ、第２パターン２１Ｂ、第３パターン２１Ｃ、及び第４パターン２１Ｄが形成されている。
【００３１】
第１連結部材２２は第１端子２２Ａ、第２端子２２Ｂ、第３端子２２Ｃ、及び第４端子２２Ｄを具備した表面実装型の雌型のコネクタである。第１連結部材２２は１つの面に窪んで形成された第１凹部２２Ｅが形成されている。第１連結部材２２は、第１照明用基板本体２１の一端部から外方向に第１凹部２２Ｅが形成された面を向けて、第１照明用基板本体２１の一端部から僅かに突出して配置されている。第１連結部材２２は第１端子２２Ａ、第２端子２２Ｂ、第３端子２２Ｃ、及び第４端子２２Ｄのそれぞれが第１照明用基板本体２１に形成された第１パターン２１Ａ、第２パターン２１Ｂ、第３パターン２１Ｃ、及び第４パターン２１Ｄに電気的に接続されている。
【００３２】
第２連結部材２３は第５端子２３Ａ、及び第６端子２３Ｂを具備した表面実装型の雄型のコネクタである。第２連結部材２３は１つの面に突出して形成された第１凸部２３Ｃが形成されている。第２連結部材２３は、第１照明用基板本体２１の長手方向の他端部から外方向に第１凸部２３Ｃが形成された面を向けて、第１照明用基板本体２１の他端部から第１凸部２３Ｃを突出させて配置されている。第５端子２３Ａは第１照明用基板本体２１の第１パターン２１Ａに電気的に接続されている。つまり、第５端子２３Ａは第１端子２２Ａに第１パターン２１Ａを介して電気的に接続されている。また、第６端子２３Ｂは第１照明基板本体の第２パターン２１Ｂに電気的に接続されている。つまり、第６端子２３Ｂは第２端子２２Ｂに第２パターン２１Ｂを介して電気的に接続されている。
【００３３】
１２個のＬＥＤ素子２４は後述する電源基板５０から電力を供給されると白色光を発する。これらＬＥＤ素子２４は表面実装用の素子である。これらＬＥＤ素子２４は第１照明用基板本体２１の一方の面に、第１照明用基板本体２１の長手方向に１列に並び実装されている。これらＬＥＤ素子２４は隣り合う間の寸法がそれぞれ同じである。これらＬＥＤ素子２４は互いに電気的に直列に接続されている。また、これらＬＥＤ素子２４は電気的に直列に接続された一端であるアノード側が第１パターン２１Ａに電気的に接続されている。また、これらＬＥＤ素子２４は電気的に直列に接続された他端であるカソード側が第２パターン２１Ｂに電気的に接続されている。
【００３４】
抵抗器２５は表面実装用の素子である。抵抗器２５は所定の抵抗値を有した固定抵抗器である。詳しくは、抵抗器２５が有する抵抗値は第１照明用基板２０のＬＥＤ素子２４、及び後述する第２照明用基板３０のＬＥＤ素子３４の総数に対応した値である。抵抗器２５は第１照明用基板本体２１の一方の面で、第１連結部材２２の近傍に実装されている。また、抵抗器２５は一端が第３パターン２１Ｃに、他端が第４パターン２１Ｄにそれぞれが電気的に接続されている。
【００３５】
こうして、照明用基板１５である第１照明用基板２０は第１照明用基板本体２１の一方の面に、１２個のＬＥＤ素子２４、ＬＥＤ素子２４及び後述する第２照明用基板３０のＬＥＤ素子３４の総数に対応した抵抗値を具備する抵抗器２５、第１連結部材２２、及び第２連結部材２３が実装されている。つまり、第１照明用基板２０は第１照明用基板本体２１の他方の面には何も実装されていない。
【００３６】
こうして形成された第１照明用基板２０は他方の面を固定部材１１の傾斜壁部１１Ｃの前面に当接し、固定部材１１の傾斜壁部１１Ｃの前面の右端部に取り付けられている。第１照明用基板２０は第１連結部材２２が右側に配置されている。第１照明用基板２０は第１連結部材２２に接続部材４０の一端が電気的に接続されている。接続部材４０は両端のそれぞれにコネクタが設けられたワイヤーハーネスである。接続部材４０は他端が後述する電源基板５０の第５連結部材５６に接続されている。
【００３７】
第２照明用基板３０は、第２照明用基板本体３１、第３連結部材３２、第４連結部材３３、及び１２個のＬＥＤ素子３４を具備している。第２照明用基板本体３１は平板状をなし１方向に伸びている。第２照明用基板本体３１はガラスエポキシ基板である。第２照明用基板本体３１は一方の面にそれぞれが導電性を有する第５パターン３１Ａ、及び第６パターン３１Ｂが形成されている。
【００３８】
第３連結部材３２は第７端子３２Ａ、及び第８端子３２Ｂを具備した表面実装型の雌型のコネクタである。第３連結部材３２は１つの面に窪んで形成された第２凹部３２Ｃが形成されている。第３連結部材３２は、第２照明用基板本体３１の一端部から外方向に第２凹部３２Ｃが形成された面を向けて、第２照明用基板本体３１の一端部から僅かに突出して配置されている。第３連結部材３２は第７端子３２Ａ、及び第８端子３２Ｂはそれぞれが第２照明用基板本体３１に形成された第５パターン３１Ａ、及び第６パターン３１Ｂに電気的に接続されている。
【００３９】
第４連結部材３３は第９端子３３Ａ、及び第１０端子３３Ｂを具備した表面実装型の雄型のコネクタである。第４連結部材３３は１つの面に突出して形成された第２凸部３３Ｃが形成されている。第４連結部材３３は第２照明用基板本体３１の一方の面に実装されている。第４連結部材３３は第２照明用基板本体３１の長手方向の他端部から外方向に第２凸部３３Ｃが形成された面を向けて、第２照明用基板本体３１の他端部から第２凸部３３Ｃを突出させて配置されている。第９端子３３Ａは第２照明用基板本体３１に形成された第５パターン３１Ａに電気的に接続されている。つまり、第９端子３３Ａは第７端子３２Ａに第５パターン３１Ａを介して電気的に接続されている。また、第１０端子３３Ｂは第２照明基板本体に形成された第６パターン３１Ｂに電気的に接続されている。つまり、第１０端子３３Ｂは第８端子３２Ｂに第６パターン３１Ｂを介して電気的に接続されている。
【００４０】
１２個のＬＥＤ素子３４は第１照明用基板２０のＬＥＤ素子２４と同一の仕様である。これらＬＥＤ素子３４は第２照明用基板本体３１の一方の面に、第２照明用基板本体３１の長手方向に１列に並び実装されている。これらＬＥＤ素子３４は隣り合う間の寸法がそれぞれ同じである。これらＬＥＤ素子３４は互いに電気的に直列に接続されている。また、これらＬＥＤ素子３４は、電気的に直列に接続された一端であるアノード側が第５パターン３１Ａに電気的に接続されている。また、これらＬＥＤ素子３４は電気的に直列に接続された他端であるカソード側が第６パターン３１Ｂに電気的に接続されている。
【００４１】
こうして、照明用基板１５である第２照明用基板３０は第２照明用基板本体３１の一方の面に、１２個のＬＥＤ素子３４、第３連結部材３２、及び第４連結部材３３が実装されている。つまり、第２照明用基板３０は第２照明用基板本体３１の他方の面には何も実装されていない。
【００４２】
こうして形成された第２照明用基板３０は他方の面を固定部材１１の傾斜壁部１１Ｃの前面に当接し、第３連結部材３２の第２凹部３２Ｃに第１照明用基板２０の第２連結部材２３の第１凸部２３Ｃを挿入して連結し、固定部材１１の傾斜壁部１１Ｃの前面に取り付けられている。これにより、第１照明用基板２０の電気的に直列に接続された１２個のＬＥＤ素子２４、及び第２照明用基板３０の電気的に直列に接続された１２個のＬＥＤ素子３４は、互いに電気的に並列に接続される。
【００４３】
また、第２照明用基板３０は複数を連結することができる。詳しくは、１枚目の第２照明用基板３０の第４連結部材３３の第２凸部３３Ｃに２枚目の第２照明用基板３０の第３連結部材３２の第２凹部３２Ｃを連結することができる。つまり、少なくとも１枚の第２照明用基板３０は複数のＬＥＤ素子３４を有し、複数のＬＥＤ素子２４、及び抵抗器２５を有した第１照明用基板２０に対して着脱自在に連結される。このとき、２枚目の第２照明用基板３０の電気的に直列に接続された１２個のＬＥＤ素子３４は、第１照明用基板２０の電気的に直列に接続された１２個のＬＥＤ素子２４、及び１枚目の第２照明用基板３０の電気的に直列に接続された１２個のＬＥＤ素子３４に対して互いに電気的に並列に接続される。これにより、この洗面化粧台１は左右方向の寸法が異なり、鏡３Ａ，３Ｂ，３Ｃの左右方向の寸法が異なっても、第２照明用基板３０を連結する数を増減させることによって洗面化粧台１の鏡３Ａ，３Ｂ，３Ｃを満遍なく照らすことができる。
【００４４】
電源基板５０は、図５に示すように、電源基板本体５１、スイッチング電源回路５２、マイコン電源５３、ＬＥＤ電源５４、マイコン５５、及び第５連結部材５６を具備している。電源基板本体５１は平板状をなし１方向に伸びている。電源基板本体５１はガラスエポキシ基板である。スイッチング電源回路５２は商用電源６０から供給された交流の電力を基にして直流の電力を作ることができる。マイコン電源５３はスイッチング電源回路５２で作られた直流の電力が供給されて後述するマイコン５５が動作する直流の電力を作ることができる。ＬＥＤ電源５４はスイッチング電源回路５２で作られた直流の電力が供給されて第１照明用基板２０のＬＥＤ素子２４、及び第２照明用基板３０のＬＥＤ素子３４の全てを発光させる直流の電力を作ることができる。マイコン５５は第１照明用基板２０のＬＥＤ素子２４、及び第２照明用基板３０のＬＥＤ素子の発光を制御することができる。
【００４５】
第５連結部材５６は第１１端子５６Ａ、第１２端子５６Ｂ、第１３端子５６Ｃ、及び第１４端子５６Ｄを具備した表面実装型の雄型のコネクタである。第５連結部材５６は１つの面に突出して形成された第３凸部５６Ｅが形成されている。第３凸部５６Ｅは接続部材４０の他端に電気的に接続される。第５連結部材５６は、電源基板本体５１の長手方向の他端部から外方向に第３凸部５６Ｅが形成された面を向けて、電源基板本体５１の他端部から第３凸部５６Ｅを突出させて配置されている。
【００４６】
次に、電源基板５０、第１照明用基板２０、及び第２照明用基板３０の電気的な構成、及び電気的な動作を説明する。
【００４７】
この洗面化粧台１の照明装置１０は、図５に示すように、電源基板５０のスイッチング電源回路５２に商用電源６０から交流の電力が供給される。すると、スイッチング電源回路５２は商用電源６０から供給された交流の電力を基にして直流の電力を作る。そして、スイッチング電源回路５２で作られた直流の電力がマイコン電源５３、及びＬＥＤ電源５４に供給される。
【００４８】
マイコン電源５３はスイッチング電源回路５２から供給された直流の電力を基にしてマイコン５５が動作する直流の電力を作る。マイコン５５が動作する直流の電力の電圧は５Ｖである。そして、マイコン電源５３で作られた直流の電力がマイコン５５の第１入力ポート５５Ａからマイコン５５に供給される。また、マイコン電源５３で作られた直流の電力は電源側抵抗器５７、第５連結部材５６の第１３端子５６Ｃ、接続部材４０、第１照明用基板２０の第１連結部材２２の第３端子２２Ｃ、及び第３パターン２１Ｃを介して抵抗器２５にも供給される。電源側抵抗器５７と第５連結部材５６の第１３端子５６Ｃとの間にマイコン５５の第２入力ポート５５Ｂが電気的に接続されている。また、抵抗器２５は他端が第１照明用基板２０の第４パターン２１Ｄ、第１連結部材２２の第４端子２２Ｄ、接続部材４０、及び第５連結部材５６の第１４端子５６Ｄを介して電源基板５０に形成された接地パターン５８に電気的に接続されている。これにより、抵抗器２５の有する抵抗値がマイコン５５の第２入力ポート５５Ｂからマイコン５５に入力される。
【００４９】
抵抗器２５は第１照明用基板２０のＬＥＤ素子２４、及び第２照明用基板３０のＬＥＤ素子３４の総数に対応した抵抗値を有している。抵抗器２５の有する抵抗値をマイコン５５に入力することによって、マイコン５５に第１照明用基板２０のＬＥＤ素子２４、及び第２照明用基板３０のＬＥＤ素子３４の総数を伝達することができる。
【００５０】
ＬＥＤ電源５４はスイッチング電源回路５２から供給された直流の電力を基にして、第１照明用基板２０のＬＥＤ素子２４、及び第２照明用基板３０のＬＥＤ素子３４の全てを発光させる直流の電力を作る。ＬＥＤ電源５４で作られた直流の電力は第５連結部材５６の第１１端子５６Ａ、接続部材４０、第１照明用基板２０の第１連結部材２２の第１端子２２Ａ、及び第１パターン２１Ａを介して第１照明用基板２０の１２個のＬＥＤ素子２４の電気的に直列に接続された一端であるアノード側に供給される。
【００５１】
さらに、ＬＥＤ電源５４で作られた直流の電力は第２連結部材２３の第５端子２３Ａ、第２照明用基板３０の第３連結部材３２の第７端子３２Ａ、及び第５パターン３１Ａを介して第２照明用基板３０の１２個のＬＥＤ素子３４の電気的に直列に接続された一端であるアノード側にも供給される。なお、ＬＥＤ電源５４にマイコン５５の第１出力ポート５５Ｃが電気的に接続されている。
【００５２】
また、第２照明用基板３０の１２個のＬＥＤ素子３４の電気的に直列に接続された他端であるカソード側が第２照明用基板３０の第６パターン３１Ｂ、第３連結部材３２の第６端子２３Ｂ、第１照明用基板２０の第２連結部材２３の第６端子２３Ｂ、及び第２パターン２１Ｂを介して第１照明用基板２０の１２個のＬＥＤ素子２４の電気的に直列に接続された他端であるカソード側に電気的に接続している。さらに、第１照明用基板２０の１２個のＬＥＤ素子２４の電気的に直列に接続された他端であるカソード側が第１照明用基板２０の第２パターン２１Ｂ、第１連結部材２２の第２端子２２Ｂ、接続部材４０、及び電源基板５０の第５連結部材５６の第１２端子５６Ｂを介してＦＥＴ５９（電界効果トランジスタ）のドレインＤに電気的に接続している。ＦＥＴ５９はゲートＧがマイコン５５の第２出力ポート５５Ｄに電気的に接続されている。ＦＥＴ５９はソースＳが電源基板５０に形成された接地パターン５８に電気的に接続されている。こうして、電源基板５０はＬＥＤ電源５４で作られた直流の電力を第１照明用基板２０のＬＥＤ素子２４、及び第２照明用基板３０のＬＥＤ素子３４に供給することができる。
【００５３】
マイコン５５は第３入力ポート５５Ｅにスイッチコンセント部３Ｅのスイッチ３Ｆが電気的に接続されている。これにより、使用者がスイッチ３Ｆを操作することによってＬＥＤ素子２４，３４を点灯状態、及び消灯状態に自在に切り替えることができる。
【００５４】
例えば、使用者がＬＥＤ素子２４，３４を消灯状態から点灯状態に切り替えるためにスイッチ３Ｆを操作する。すると、操作されて変化したスイッチ３Ｆの状態がマイコン５５の第３入力ポート５５Ｅを介してマイコン５５に伝達される。すると、マイコン５５からＬＥＤ電源５４に第１出力ポート５５Ｃを介してＬＥＤ電源５４を起動させる信号が送信される。そして、ＬＥＤ電源５４が起動して、第１照明用基板２０のＬＥＤ素子２４、及び第２照明用基板３０のＬＥＤ素子３４の全てを発光させる直流の電力を作る。そして、ＬＥＤ電源５４で作られた直流の電力が第１照明用基板２０のＬＥＤ素子２４、及び第２照明用基板３０のＬＥＤ素子３４に供給される。
【００５５】
次に、マイコン５５からＦＥＴ５９のゲートＧに第２出力ポート５５Ｄを介して周期的に繰り返す矩形状をなした波形の電圧を付与する。すると、ＦＥＴ５９はゲートＧに付与された矩形状の電圧に合わせて、ドレインＤとソースＳとの間で電流が流れていない状態と電流が流れている状態とを周期的に繰り返す。つまり、マイコン５５はＬＥＤ素子２４，３４の発光をＰＷＭ（パルス幅変調）によって制御する。このとき、マイコン５５は第１照明用基板２０の抵抗器２５の有する抵抗値がマイコン５５の第２入力ポート５５Ｂを介してマイコン５５に入力されている。これにより、マイコン５５は抵抗器２５の有する抵抗値を基にして周期的に繰り返す矩形状をなした波形を自動的に変化させる。詳しくは、第２照明用基板３０の枚数が１枚である場合に比べて、第２照明用基板３０の枚数が複数枚である場合、矩形状をなした波形の山の区間を谷の区間に対してより大きくする。つまり、マイコン５５は連結される第１照明用基板２０、及び第２照明用基板３０の枚数に応じてデューティ比を自動的に変更することができる。つまり、電源基板５０は第１照明用基板２０のＬＥＤ素子２４、及び第２照明用基板３０のＬＥＤ素子３４へ直流の電力を供給し、第１照明用基板２０の抵抗器２５の抵抗値を基にして直流の電力を変更し、ＬＥＤ素子２４，３４の照度を所定の照度にする。
【００５６】
また、使用者がＬＥＤ素子２４，３４を点灯状態から消灯状態に切り替えるためにスイッチ３Ｆを操作する。すると、操作されて変化したスイッチ３Ｆの状態がマイコン５５の第３入力ポート５５Ｅを介してマイコン５５に伝達される。すると、マイコン５５からＬＥＤ電源５４に第１出力ポート５５Ｃを介してＬＥＤ電源５４を停止させる信号が送信される。そして、ＬＥＤ電源５４が停止して、直流の電力を作ることを停止する。すると、ＬＥＤ電源５４から第１照明用基板２０のＬＥＤ素子２４、及び第２照明用基板３０のＬＥＤ素子３４への直流の電力の供給が停止する。そして、マイコン５５からＦＥＴ５９のゲートＧに第２出力ポート５５Ｄを介して周期的に繰り返す矩形状をなした波形の電圧の付与を停止する。
【００５７】
このように、この照明装置１０は照明用基板１５が有する抵抗器２５の抵抗値に基づいて、電源基板５０からＬＥＤ素子２４，３４に供給する直流の電力の大きさを変更することができる。これにより、この照明装置１０は照明用基板１５に実装されたＬＥＤ素子２４，３４の総数に応じて自動的に電源基板５０から出力する直流の電力の大きさを変更することができる。つまり、この照明装置１０はＬＥＤ素子２４，３４の総数が異なる照明用基板１５のそれぞれに対応することができる。このため、この照明装置１０は、実装されたＬＥＤ素子２４，３４の総数が異なる照明用基板１５を変更するだけで設置する場所を最適に照らすことができる。
【００５８】
したがって、本発明の照明装置１０は照明を良好にすることができる。
【００５９】
また、この照明用基板１５は、複数のＬＥＤ素子２４、及び抵抗器２５を有した第１照明用基板２０と、複数のＬＥＤ素子３４を有し、第１照明用基板２０に対して着脱自在に連結される少なくとも１枚の第２照明用基板３０とを有している。このため、この照明装置１０は第２照明用基板３０の数に応じて抵抗器２５の抵抗値を変更した第１照明用基板２０を複数種類用意すれば、ＬＥＤ素子２４，３４の総数が異なる場合であっても直流の電力を適正に供給し、設置場所を最適に照らすことができる。
【００６０】
本発明は上記記述及び図面によって説明した実施例１に限定されるものではなく、例えば次のような実施例も本発明の技術的範囲に含まれる。
（１）実施例１では、第１照明用基板と第２照明用基板とを連結部材で電気的に接続しているが、これに限らず、第１照明用基板と第２照明用基板とを接続部材を介して電気的に接続しても良い。これにより、鏡の複数の辺に第１照明用基板及び第２照明用基板をそれぞれ配置することができる。
（２）実施例１では、第１照明用基板に実装された抵抗器は固定抵抗器であるが、これに限らず、第１照明用基板に実装された抵抗器に可変抵抗器や半固定抵抗器を用いても良い。これにより、固有の抵抗値を有した抵抗器を複数種類用意しなくて済む。
（３）実施例１では、接続部材にワイヤーハーネスを用いているが、これに限らず、接続部材にフレキシブルプリント配線板を用いても良い。
（４）実施例１では、第１照明用基板と第２照明用基板とを備えているが、これに限らず、第１照明用基板のみを備えていても良い。
（５）実施例１では、第１照明用基板、及び第２照明用基板のそれぞれにＬＥＤ素子を１２個実装しているが、これに限らず、第１照明用基板、及び第２照明用基板のそれぞれに実装するＬＥＤ素子の数を１１個以下でも良く、１３個以上でも良い。
（６）実施例１では、第１照明用基板、及び第２照明用基板のそれぞれにＬＥＤ素子を１２個実装しているが、これに限らず、第１照明用基板、及び第２照明用基板のそれぞれに実装するＬＥＤ素子の数を１１個以下でも良く、１３個以上でも良い。
（７）実施例１では、第１照明用基板、第２照明用基板、及び電源基板にガラスエポキシ基板を用いているが、これに限らず、第１照明用基板、第２照明用基板、及び電源基板に紙エポキシ基板等の他の材質の基板を用いても良い。
（８）実施例１では、第１照明用基板、及び第２照明用基板に白色光を発するＬＥＤ素子を用いているが、これに限らず、第１照明用基板、第２照明用基板に赤色、青色、緑色に発光するＬＥＤ素子を用いても良い。
（９）実施例１では、マイコンが動作する直流の電力の電圧は５Ｖであるが、これに限らず、マイコンが動作する直流の電力の電圧は３Ｖや１．５Ｖ等の他の電圧でも良い。
（１０）実施例１では、第１照明用基板、及び第２照明用基板に電気的に直列に接続されたＬＥＤ素子が1列ずつ形成されているが、これに限らず、第１照明用基板、及び第２照明用基板に電気的に直列に接続されたＬＥＤ素子がそれぞれ複数列形成されていても良い。この場合、第１照明用基板、又は第２照明用基板それぞれに複数列形成されたＬＥＤ素子は、互いの電気的に直列に接続された列の一端であるアノード側同士、他端であるカソード側同士がそれぞれ電気的に接続されるようにする。
【符号の説明】
【００６１】
１５…照明用基板
２０…第１照明用基板
２４，３４…ＬＥＤ素子
２５…抵抗器
３０…第２照明用基板
５０…電源基板
【図１】
0006666631.tif 000002
【図２】
0006666631.tif 000003
【図３】
0006666631.tif 000004
【図４】
0006666631.tif 000005
【図５】
0006666631.tif 000006